(57)【要約】【課題】  折り畳み式携帯電話機におけるキーボードに対して表示部を開閉自在に連結するためのヒンジ部において、ヒンジユニットを用いてキーボード側のヒンジ筒と表示部側のヒンジ筒とを、中心を一致させて回動自在に連結するが、ヒンジユニットが挿入方向とは逆方向に移動することがあり、これを防止することを目的とする。【解決手段】  ヒンジユニット１の本体１１の外周部に凸条部１３を設け、ヒンジ筒４１の内周壁に移動規制部４５を設ける。ヒンジユニットが挿入方向と逆方向に移動すると、凸条部１３の右端が移動規制部４５に当接して、当該方向の移動を規制することになる。【選択図】      図４
2005256878.tif 000002
【特許請求の範囲】
【請求項１】
第一の部材を有する第一のヒンジ筒と、第二の部材を有する第二のヒンジ筒と、前記第一および第二のヒンジ筒に挿入されて前記第一および第二の部材を開閉自在に連結するためのヒンジユニットとを含むヒンジ構造であって、
前記ヒンジユニットを前記ヒンジ筒に挿入した際に、前記ヒンジユニットの挿入方向とは逆方向の移動を規制する移動規制手段を含むことを特徴とするヒンジ構造。
【請求項２】
前記移動規制手段は、前記ヒンジ筒の内周壁に設けられた移動規制部と、前記ヒンジユニットの外周部に設けられ、前記ヒンジユニットが前記ヒンジ筒に挿入された状態で前記ヒンジユニットが前記逆方向に移動したときに、前記移動規制部に当接する凸部とを有することを特徴とする請求項１記載のヒンジ構造。
【請求項３】
少なくとも前記凸部は弾性変形自在な材質よりなることを特徴とする請求項２記載のヒンジ構造。
【請求項４】
前記凸部の前記挿入方向の先端はテーパが形成されていることを特徴とする請求項２または３記載のヒンジ構造。
【請求項５】
第一の部材を有する第一のヒンジ筒と、第二の部材を有する第二のヒンジ筒とを連結して前記第一および第二の部材を開閉自在とするためのヒンジユニットであって、前記ヒンジ筒に挿入された状態で、この挿入方向とは逆方向の移動を規制すべく前記ヒンジ筒に設けられた移動規制部材に当接する当接部を含むことを特徴とするヒンジユニット。
【請求項６】
少なくとも前記当接部は弾性変形自在な材質よりなることを特徴とする請求項５記載のヒンジユニット。
【請求項７】
前記当接部の前記挿入方向の先端はテーパが形成されていることを特徴とする請求項５または６記載のヒンジユニット。
【請求項８】
請求項１〜４いずれか記載のヒンジ構造、または請求項５〜７いずれか記載のヒンジユニットを含むことを特徴とする折り畳み式携帯電話機。
【発明の詳細な説明】
【技術分野】
【０００１】
本発明はヒンジ構造及びそれに用いるヒンジユニット並びにそれを用いた折り畳み式携帯電話機に関し、特に折り畳み式の携帯電話機などにおいて、キーボードに対して表示部を開閉自在に連結するためのヒンジ構造及びそれに用いるヒンジユニットに関するものである。
【背景技術】
【０００２】
携帯電話機などにおいては、カバーが機器本体に対して２つ折りに折り畳まれる折り畳み式のものが広く用いられている。この様な構造のものにおいて、機器本体とそれに開閉自在に枢着されるカバーとの間に、カバーを閉成した状態と任意の角度に開成した状態の両方に保持できるように、ヒンジ機構が設けられている。図７はこの様なヒンジ機構を有した折り畳み式携帯電話機の外観斜視図である。
【０００３】
図において、２は表示部、３はキーボードであり、これら両者を開閉自在に軸支するヒンジ部４が設けられており、一対のヒンジユニット１をヒンジ部４の両端部から挿入することにより構成されている。図８は折り畳んだ状態の正面図であり、ヒンジ部４の回動中心軸からずれかつこの回転中心軸に平行なＦ−Ｆ線に沿う断面図を図９（Ａ）に示しており、この図９（Ａ）のＨ−Ｈ線に沿う断面図を図９（Ｂ）に、またＧ−Ｇ線に沿う断面図を図１０に示している。なお、図１０において、（Ａ）は図８（Ａ）のＧ−Ｇ線に沿う断面の右端部を示し、（Ｂ）はヒンジユニット１をヒンジ部内に挿入する前の状態を示し、（Ｃ）は（Ａ）の１部拡大図である。
【０００４】
これら図を参照すると、ヒンジ部４はキーボード側ヒンジ筒４１と表示部側ヒンジ筒４２とを有しており、ヒンジユニット１をキーボード側ヒンジ筒４１の端部の挿入孔から挿入する。ヒンジユニット１の本体１１の先端に設けられている爪部１４が、表示部側ヒンジ筒４２の突出部４４に引っ掛かり、このヒンジユニット１によって、キーボード側ヒンジ筒４１及び表示部側ヒンジ筒４２とが、一直線（回動中心軸）上に並んで取付けられることになる。
【０００５】
なお、ヒンジユニット１の本体１１の外周部には、挿入方向に平行に凹部溝１２が設けられており、この凹部溝１２を、キーボード側ヒンジ筒４１の内壁部に設けられているガイド用の凸条部４３に嵌合させつつ、ヒンジユニット本体１１をヒンジ筒４１へ挿入することで、位置合わせが容易となる。
【０００６】
キーボード側ヒンジ筒４１の内壁とヒンジユニット本体１１とを、ヒンジユニット挿入時に負荷がかからない程度に圧接する寸法に設計することにより、ヒンジユニット１の嵌合を保持し、表示部２側の開閉（回動）動作が可能となるものである。
【０００７】
しかしながら、各部品のバラツキにより、表示部２側を連続的に、または多数回開閉（回動）させると、ヒンジ筒内壁とヒンジユニット本体１１との間で摩擦が生じ、嵌合力が弱まる可能性がある。設計段階において、組立性などをも考慮してヒンジユニット１が必らず嵌合されるように、図１０（Ｃ）の拡大図に示す如く、ヒンジユニットの先端の爪部１４と表示部側ヒンジ筒４２の内壁との間に隙間を持たせているために、ヒンジユニット１の嵌合力が弱まると、ヒンジユニット１が図１０の挿入方向（矢印）とは逆方向に動きだす可能性がある。
【０００８】
ここで、特許文献１、２を参照すると、ヒンジユニットの本体内に、コイルバネを用いた構造のものが開示されており、このヒンジユニットでは、組立て部品が多いために、その組立て性の容易さを目的とした技術が示されている。
【特許文献１】特開２００３−６５３１９号公報
【特許文献２】特許第３４７１７４３号公報
【発明の開示】
【発明が解決しようとする課題】
【０００９】
上述した図７〜図１０の従来技術においては、既に述べたように、ヒンジユニットがヒンジ部への挿入方向とは逆方向に動き出す可能性があり、これをできるだけ最小限に抑制することが必要になる。また、上記の特許文献１、２の技術においては、ヒンジユニットの上記の挿入方向とは逆方向の動きを抑制することについては、特に言及されていない。
【００１０】
本発明の目的は、ヒンジユニットの挿入方向とは逆方向への移動量を最小限に抑制することが可能なヒンジ構造及びそれに用いるヒンジユニット並びにそれを用いた折り畳み式携帯電話機を提供することである。
【課題を解決するための手段】
【００１１】
本発明によるヒンジ構造は、第一の部材を有する第一のヒンジ筒と、第二の部材を有する第二のヒンジ筒と、前記第一および第二のヒンジ筒に挿入されて前記第一および第二の部材を開閉自在に連結するためのヒンジユニットとを含むヒンジ構造であって、前記ヒンジユニットを前記ヒンジ筒に挿入した際に、前記ヒンジユニットの挿入方向とは逆方向の移動を規制する移動規制手段を含むことを特徴とする。
【００１２】
そして、前記移動規制手段は、前記ヒンジ筒の内周壁に設けられた移動規制部と、前記ヒンジユニットの外周部に設けられ、前記ヒンジユニットが前記ヒンジ筒に挿入された状態で前記ヒンジユニットが前記逆方向に移動したときに、前記移動規制部に当接する凸部とを有することを特徴とする。また、少なくとも前記凸部は弾性変形自在な材質よりなることを特徴とし、また、前記凸部の前記挿入方向の先端はテーパが形成されていることを特徴とする。
【００１３】
本発明によるヒンジユニットは、第一の部材を有する第一のヒンジ筒と、第二の部材を有する第二のヒンジ筒とを連結して前記第一および第二の部材を開閉自在とするためのヒンジユニットであって、前記ヒンジ筒に挿入された状態で、この挿入方向とは逆方向の移動を規制すべく前記ヒンジ筒に設けられた移動規制部材に当接する当接部を含むことを特徴とする。
【００１４】
そして、少なくとも前記当接部は弾性変形自在な材質よりなることを特徴とし、また、前記当接部の前記挿入方向の先端はテーパが形成されていることを特徴とする。
【００１５】
本発明による折り畳み式携帯電話機は、上記のヒンジ構造、または上記のヒンジユニットを含むことを特徴とする。
【００１６】
本発明の作用を述べる。折り畳み式携帯電話機などの移動通信端末におけるキーボードに対して表示部を開閉自在に連結するためのヒンジ部では、キーボード側のヒンジ筒と表示部側のヒンジ筒とを中心を一致させて回動自在に軸支する必要があり、そのためにヒンジユニットが用いられるが、このヒンジユニットのヒンジ筒への挿入後に、挿入方向とは逆方向へヒンジユニットがずれて移動することがあるが、これを防止するために、ヒンジユニットとヒンジ筒との間に、移動規制手段を設けて、ヒンジユニットの当該逆方向の移動量を抑制する。
【発明の効果】
【００１７】
本発明によれば、ヒンジユニットの挿入方向とは逆方向の移動を規性する規性部材を設けたので、ヒンジユニットの嵌合力が弱くなっても、挿入方向とは逆の方向へヒンジユニットが移動することが最小限に抑制されるという効果がある。
【発明を実施するための最良の形態】
【００１８】
以下に、本発明の実施の形態について図面を用いて詳細に説明する。図１は本発明を適用したヒンジ機構を有する折り畳み式携帯電話機の外観斜視図であり、図２は折り畳んだ状態の正面図であり、図７及び図８と同等部分は同一符号にて示している。また、図３（Ａ）は、図２のヒンジ部４の回動中心軸からずれかつこの回転中心軸に平行なＡ−Ａ線に沿う断面図であり、図３（Ｂ）は図３（Ａ）のＣ−Ｃ線に沿う断面図である。更に、図４（Ａ）は図３（Ａ）のＢ−Ｂ線に沿う断面図の右端部を示し、（Ｂ）はヒンジユニット１をヒンジ部内に挿入する前の状態を示し、（Ｃ）は（Ａ）の１部拡大図である。これら図３及び図４において、図９及び図１０と同等部分は同一符号により示している。
【００１９】
本実施の形態において、図７〜図１０の従来例と相違する部分についてのみ説明し、他の同等部分にていては、冗長さを避けるために説明を省略するものとする。
【００２０】
本例においては、ヒンジユニット１の本体１１の外周部に、一対の凸条部１３を設け、またヒンジユニット本体１１をヒンジ筒４１に挿入したときに（図４参照）、この凸条部１３の右端と当接して、ヒンジユニット１の挿入方向とは逆方向の移動を規制するための移動規性部４５を、ヒンジ筒４１の内周壁に設けている。
【００２１】
なお、ヒンジユニット本体１１の外周部に一対の凸条部１３を設けているために、ヒンジ筒４１側にも、その内周壁にこの凸条部１３と嵌合する凹部溝４６を設けている。キーボード側ヒンジ筒４１はダイカストなどの剛性の高い材料で作られており、またヒンジユニット本体１１は樹脂などの弾性変形が容易な材質で作られているものとする。
【００２２】
かかる構成において、表示部側ヒンジ筒４２とキーボード側ヒンジ筒４１との中心を合わせ、キーボード側ヒンジ筒４１の凸条部４３とヒンジユニット本体１１の凹部溝１２とを嵌合させて、ヒンジユニット１の挿入ガイド機能として動作させることにより、ヒンジユニットの挿入を行う。このとき、ヒンジユニット本体１１の外周部に設けられている凸条部１３の左端部が、ヒンジ筒４１の内周壁に設けられている移動規性部４５に当ることになるが、凸条部１３の左端部に、図４に示す如く、テーパ部１５を持たせておくことにより、また、この凸条部１３の弾性変形により、ヒンジユニット１のヒンジ筒部４１への挿入に支障は生じない。
【００２３】
ヒンジユニット１が表示部側ヒンジ筒４２に挿入される位置に達すると、ヒンジユニット本体１１の先端に設けられている爪部１４がヒンジ筒４２の先端の突出部４４に引っ掛かって、ヒンジユニット１により、キーボード側ヒンジ筒４１と表示部側ヒンジ筒４２とが、一直線状に並んだ状態で保持され、また表示部２の回動（開閉）が可能になる。
【００２４】
ここで、各部品のバラツキなどによって、表示部２を連続的または多数回開閉（回動）させると、設計段階で、組立性などを考慮して、ヒンジユニット１が必らずヒンジ筒と嵌合されるように、図４（Ｃ）の拡大図に示す如く、表示部側ヒンジ筒４２の内壁とヒンジユニット先端の爪部１４との間に隙間を持たせているために、ヒンジユニット本体１１とヒンジ筒４１との間に摩擦力が生じると、ヒンジユニット１の嵌合力が弱まって、ヒンジユニット１は挿入逆向き方向に移動する可能性がある。
【００２５】
しかしながら、本発明では、ヒンジユニット本体１１の外周部に凸条部１３を設け、キーボード側ヒンジ筒４１の内周壁に移動規制部４５を設けており、よって、凸条部１３が移動規制部４５に当接して、挿入反対方向の移動の規制がなされることになる。
【００２６】
図５、６は本発明の他の実施の形態を示す図であり、図３、４と同等部分は同一符号により示している。図５（Ａ）は図２のＡ−Ａ線に沿う断面図、図５（Ｂ）は（Ａ）のＥ−Ｅ線に沿う断面図である。また、図６（Ａ）は図５（Ａ）のＤ−Ｄ線に沿う断面図の右端部を示し、図６（Ｂ）はヒンジユニット１をヒンジ部内に挿入する前の状態を示している。
【００２７】
先の実施の形態においては、ヒンジユニット１をヒンジ筒４１へ挿入する際に、挿入を容易とするために、ヒンジユニット本体１１の外周部の凸条部１３の先端をテーパ状（１５）としたが、その代りに、本例では、移動規制部４３の右端にテーパ部４７を設けたものである。他の構成は前の実施の形態と同じであり、説明を省略する。
【００２８】
また、他の変形例として、キーボード側ヒンジ筒４１の内周壁に、凹部の移動規性部を設け、ヒンジユニット本体１１の外周部にこの凹部に嵌合自在な凸部を設けることによっても、上記実施の形態と同じ作用効果が得られる。
【００２９】
上記の実施の形態においては、携帯電話機のヒンジ部について適用する場合について説明したが、これに限定されることなく、第一の部材を有する第一のヒンジ筒と、第二の部材を有する第二のヒンジ筒と、これら第一及び第二のヒンジ筒に挿入されて第一及び第二の部材を開閉自在に連結するためのヒンジユニットとを含むようなヒンジ構造に、広く適用できることは明らかである。
【図面の簡単な説明】
【００３０】
【図１】本発明を適用した折り畳み式携帯電話機の斜視図である。
【図２】図１の携帯電話機を折り畳んだ状態を示す正面図である。
【図３】（Ａ）は図２のＡ−Ａ線に沿う断面図、（Ｂ）は（Ａ）のＣ−Ｃ線に沿う断面図である。
【図４】（Ａ）は図３のＢ−Ｂ線に沿う一部断面図、（Ｂ）は（Ａ）の分解図、（Ｃ）は（Ａ）の一部拡大図である。
【図５】（Ａ）は本発明の他の実施の形態における図２のＡ−Ａ線に沿う断面図、（Ｂ）は（Ａ）のＥ−Ｅ線に沿う断面図である。
【図６】（Ａ）は図５のＤ−Ｄ線に沿う一部断面図、（Ｂ）は（Ａ）の分解図である。
【図７】従来技術を適用した折り畳み式携帯電話機の斜視図である。
【図８】図７の携帯電話機を折り畳んだ状態を示す正面図である。
【図９】（Ａ）は図７のＦ−Ｆ線に沿う断面図、（Ｂ）は（Ａ）のＨ−Ｈ線に沿う断面図である。
【図１０】（Ａ）は図９のＧ−Ｇ線に沿う一部断面図、（Ｂ）は（Ａ）の分解図、（Ｃ）は（Ａ）の一部拡大図である。
【符号の説明】
【００３１】
１    ヒンジユニット
２    表示部
３    キーボード
４    ヒンジ部
１１    ヒンジユニット本体
１２，４６    凹部溝
１３，４３    凸条部
１４    爪部
１５，４７    テーパ部
４１    キーボード側ヒンジ筒
４２    表示部側ヒンジ筒
４４    突出部
４５    移動規制部
【図１】
2005256878.tif 000003
【図２】
2005256878.tif 000004
【図３】
2005256878.tif 000005
【図４】
2005256878.tif 000006
【図５】
2005256878.tif 000007
【図６】
2005256878.tif 000008
【図７】
2005256878.tif 000009
【図８】
2005256878.tif 000010
【図９】
2005256878.tif 000011
【図１０】
2005256878.tif 000012